(57)【要約】【課題】誤操作や悪戯呼びの多い時間帯を自動的に分析して設定でき、設定時間内で効率的に無駄な通報を低減して簡易に運用できるエレベータ用非常通報システムを提供する。【解決手段】このシステムにおいて、監視装置６は、乗りかご１内の非常呼び釦３の押下操作を監視して感動時限以上継続されると通報の指令を行い、管制センタ装置８では、制御回路８ｂが通報時の通話状況に基づいて釦３の押下操作が通常操作か、誤操作又は悪戯呼びかの操作内容を判定し、通報来歴記憶部８ｃが判定結果を通報来歴情報として記憶し、悪戯多発時間分析部８ｄが通報来歴情報に基づいて誤操作又は悪戯呼びが多い時間帯を分析する。装置６では、悪戯多発時間帯記憶部６ｄが分析された誤操作又は悪戯呼びが多い時間帯を悪戯多発時間帯として記憶し、感動時限記憶部６ｃが感動時限を記憶し、制御回路６ｂが記憶された悪戯多発時間帯に基づいて釦３への感動時限を変更設定する。【選択図】図１
2014073893.tif 000002
【特許請求の範囲】
【請求項１】
エレベータの乗りかご内に設置された非常呼び釦と、前記非常呼び釦が押下操作されている時限を監視して所定時間の感動時限以上継続された場合に通報の指令を行う監視装置と、前記監視装置と電話回線を介して接続された管制センタ装置と、を備えたエレベータ用非常通報システムであって、
前記管制センタ装置は、前記非常呼び釦を押下操作しての前記監視装置を介しての通報時における通話状況に基づいて当該非常呼び釦の押下操作が通常操作によるものか、誤操作又は悪戯呼びによるものかの操作内容を判定する操作内容判定手段と、前記操作内容の判定の結果を通報来歴情報として蓄積して記憶する通報来歴記憶手段と、前記通報来歴情報に基づいて前記誤操作又は前記悪戯呼びが多い時間帯を分析する悪戯多発時間分析手段と、を備え、
前記監視装置は、前記悪戯多発時間分析手段で分析された前記誤操作又は前記悪戯呼び多い時間帯を悪戯多発時間帯として記憶する悪戯多発時間帯記憶手段と、前記非常呼び釦に対する前記所定時間の感動時限を記憶する感動時限記憶手段と、前記悪戯多発時間帯記憶手段に記憶された前記悪戯多発時間帯に基づいて前記非常呼び釦に対する前記所定時間の感動時限を変更して設定する感動時限変更設定手段と、を備えたことを特徴とするエレベータ用非常通報システム。
【請求項２】
請求項１記載のエレベータ用非常通報置において、前記操作内容判定手段は、前記悪戯多発時間分析手段で分析された前記誤操作又は前記悪戯呼びが多い時間帯をインターフェース手段及び前記電話回線を介して前記監視装置へ伝送する前記管制センタ装置における制御手段内に備えられ、前記感動時限変更設定手段は、前記所定時間の感動時限を変更した上でインターフェース手段を介して前記非常呼び釦に設定する前記監視装置における制御手段内に備えられたことを特徴とするエレベータ用非常通報システム。
【発明の詳細な説明】
【技術分野】
【０００１】
本発明は、エレベータの異常発生等の非常時に乗りかご内の利用者（乗客）と外部の管制センタ側の管理人（オペレータ）とを連絡するためのエレベータ用非常通報システムに関する。
【背景技術】
【０００２】
従来、一般にエレベータでは、乗りかご内に利用者（乗客）が閉じ込められた場合に、利用者が乗りかご内に設けられた通報装置を用いて外部の管制センタ側の管理人（オペレータ）に通報できるようになっている。こうした場合、具体的に云えば、利用者が乗りかご内の操作盤に設けられた非常呼び釦を押下操作することにより、外部の管制センタが設置される管理室等で待機する管理人と通話することが可能となる。管制センタ側では管理人を２４時間体制で勤務させ、非常呼び釦を押下しての通報に対応させている。
【０００３】
ところが、既存の通報装置は、非常呼び釦が誰でも押下できる操作し易い位置に配置されており、一旦非常呼び釦が押下されると直ちに通報装置が応答して管制センタへ通報されるようになっているため、非常呼び釦が誤って押下操作された場合や、或いは利用者の悪戯によって故障等の非常時でないときに押下操作された場合にも、その都度管制センタへ通報されることになり、これに管理人が全て対応しなければならないため、管理人側の負担が余計に費やされる事態を招いてしまうという不具合がある。
【０００４】
そこで、このような誤操作や悪戯呼びへの対策として、誤操作或いは悪戯かを判定し、通報するべきものは通報するように期待できる「エレベータ通報装置」（特許文献１参照）が提案されている。
【先行技術文献】
【特許文献】
【０００５】
【特許文献１】実開平７−３６２９５号公報
【発明の概要】
【発明が解決しようとする課題】
【０００６】
上述した特許文献１の技術によれば、予め設定された誤操作や悪戯呼びの多い時間帯であれば、非常呼び釦を一定時間押し続けなければ通報することができないようにして、無題な通報を低減できるものであるが、誤操作や悪戯呼びの多い時間帯の設定については、現地で保守点検員が非常呼び釦の感動時限を長くするための手動設定が必要になるため、設定時間を決めるための情報収集や解析能力を要し、これが保守点検員の現地設定作業に多大な労力と負担とを掛ける要因となっているため、実用的には運用面で手間や負担が掛かり過ぎるという問題がある。
【０００７】
本発明は、このような問題点を解決すべくなされたもので、その技術的課題は、誤操作や悪戯呼びの多い時間帯を自動的に分析して設定でき、設定時間内で効率的に無駄な通報を低減して簡易に運用できるエレベータ用非常通報システムを提供することにある。
【課題を解決するための手段】
【０００８】
上記技術的課題を解決するため、本発明の基本構成は、エレベータの乗りかご内に設置された非常呼び釦と、非常呼び釦が押下操作されている時限を監視して所定時間の感動時限以上継続された場合に通報の指令を行う監視装置と、監視装置と電話回線を介して接続された管制センタ装置と、を備えたエレベータ用非常通報システムであって、管制センタ装置は、非常呼び釦を押下操作しての監視装置を介しての通報時における通話状況に基づいて当該非常呼び釦の押下操作が通常操作によるものか、誤操作又は悪戯呼びによるものかの操作内容を判定する操作内容判定手段と、操作内容の判定の結果を通報来歴情報として蓄積して記憶する通報来歴記憶手段と、通報来歴情報に基づいて誤操作又は悪戯呼びが多い時間帯を分析する悪戯多発時間分析手段と、を備え、監視装置は、悪戯多発時間分析手段で分析された誤操作又は悪戯呼びが多い時間帯を悪戯多発時間帯として記憶する悪戯多発時間帯記憶手段と、非常呼び釦に対する所定時間の感動時限を記憶する感動時限記憶手段と、悪戯多発時間帯記憶手段に記憶された悪戯多発時間帯に基づいて非常呼び釦に対する所定時間の感動時限を変更して設定する感動時限変更設定手段と、を備えたことを特徴とする。
【発明の効果】
【０００９】
本発明のエレベータ用非常通報システムによれば、誤操作や悪戯呼びの多い時間帯を自動的に分析した結果に応じて非常呼び釦に対する所定時間の感動時限を変更して設定する機能を持つため、設定時間内で効率的に誤操作や悪戯呼びによる無駄な通報を低減して簡易に運用できるようになり、管制センタ側の管理人（オペレータ）の負担を軽減させることができると共に、保守点検員の現地設定作業での労力や負担をなくすることができるようになる。
【図面の簡単な説明】
【００１０】
【図１】本発明の実施例１に係るエレベータ用非常通報システムの基本構成を示した概略ブロック図である。
【図２】図１に示すエレベータ用非常通報システムの管制センタ装置に備えられる通報来歴記憶部で蓄積記憶される通報来歴情報を通報受信時刻推移に対する通報状態の関係で例示した図である。
【図３】図１に示すエレベータ用非常通報システムの管制センタ装置に備えられる悪戯多発時間帯分析部で分析される時間帯別な悪戯多発時間帯分析内容情報を例示した図である。
【図４】図１に示すエレベータ用非常通報システムにおける非常通知運用に係る動作処理を示したフローチャートである。
【図５】図１に示すエレベータ用非常通報システムにおける誤操作又は悪戯呼びが多い時間帯の設定に係る動作処理を示したフローチャートである。
【発明を実施するための形態】
【００１１】
以下に、本発明のエレベータ用非常通報システムについて、実施例を挙げ、図面を参照して詳細に説明する。
【実施例１】
【００１２】
図１は、本発明の実施例１に係るエレベータ用非常通報システムの基本構成を示した概略ブロック図である。このエレベータ用非常通報システムは、建物に設備された昇降路内の階床間を案内レール４に沿って昇降運転すると共に、開閉動作するドア２が備えられたエレベータの乗りかご１内に設置された非常呼び釦３を含む操作盤を有する略図する通報装置と、乗りかご１の停止動作を含む昇降運転動作を図示されない巻上機を回転させて制御する制御盤５と、制御盤５に接続されて乗りかご１の運転状態を監視して診断すると共に、非常呼び釦３が押下操作されている時限を監視して所定時間の感動時限以上継続された場合に通報の指令を行う監視装置６と、監視装置６と電話回線７を介して接続されると共に、監視装置６との間で非常呼び釦３を押下操作しての通報時における通話状況に伴って処理される管理情報を授受する管制センタ装置８と、を備えて構成される。
【００１３】
このうち、制御盤５は、巻上機、並びに監視装置６のＩ／Ｆ（インターフェース）回路６ａに接続されて乗りかご１の運転状態についての制御情報を授受するＩ／Ｆ（インターフェース）回路５ａと、Ｉ／Ｆ回路５ａと接続されて乗りかご１の運転制御をＩ／Ｆ回路５ａを介して巻上機に対する回転指令により行う制御回路５ｂと、を備えている。
【００１４】
監視装置６は、乗りかご１内の通報装置の操作盤（非常呼び釦３を含む）、制御盤５のＩ／Ｆ回路５ａ、並びに電話回線７を経由して管制センタ装置８のＩ／Ｆ（インターフェース）回路８ａに接続され、制御盤５のＩ／Ｆ回路５ａとの間で乗りかご１の運転状態についての制御情報を授受する他、非常呼び釦３を押下操作しての通報時における通話状況に伴って処理される管理情報を管制センタ装置８との間で授受する上述したＩ／Ｆ回路６ａと、管制センタ装置８から電話回線７を経由して送信された誤操作又は悪戯呼びが多い時間帯を悪戯多発時間帯（管制センタ装置８からの新規データにより変更可能）として記憶する悪戯多発時間帯記憶部６ｄと、非常呼び釦３に対する所定時間の感動時限（非常呼び釦３を押下操作し続けたときに通報するか否かを判定するための時限であり、任意に変更可能）を記憶する感動時限記憶部６ｃと、悪戯多発時間帯記憶部６ｄに記憶された悪戯多発時間帯に基づいて非常呼び釦３に対する所定時間の感動時限を変更して設定する感動時限変更設定手段を備え、この感動時限変更設定手段により所定時間の感動時限を変更した上でＩ／Ｆ回路６ａを介して非常呼び釦３に設定する制御回路６ｂと、を備えている。ここでの各種記憶情報や感動時限の情報は、変更分を含めて管理情報に含まれる。
【００１５】
管制センタ装置８は、電話回線７を介して上述した監視装置６のＩ／Ｆ回路６ａとの間で管理情報を授受する上述したＩ／Ｆ回路８ａと、非常呼び釦３を押下操作しての監視装置６を介しての通報時における通話状況に基づいて非常呼び釦３の押下操作が通常操作によるものか、誤操作又は悪戯呼びによるものかの操作内容を判定する操作内容判定手段を備える制御回路８ｂと、操作内容の判定の結果を通報来歴情報として蓄積して記憶する通報来歴記憶部８ｃと、通報来歴情報に基づいて誤操作又は悪戯呼びが多い時間帯を分析する悪戯多発時間分析部８ｄと、を備え、制御回路８ｂが悪戯多発時間分析部８ｄで分析された誤操作又は悪戯呼びが多い時間帯をＩ／Ｆ回路８ａ及び電話回線７を介して監視装置６へ伝送するようになっている。ここでも各種記憶情報や感動時限の情報は、変更分を含めて管理情報に含まれる。
【００１６】
図２は、管制センタ装置８に備えられる通報来歴記憶部８ｃで蓄積記憶される通報来歴情報を通報受信時刻推移に対する通報状態の関係で例示した図である。図２を参照すれば、通報来歴情報は、通報の受信された時刻を管理する通報受信時刻８ｃ１の項目と、通常操作か、或いは誤操作又は悪戯呼びであるかの操作内容を登録して管理する通信状態８ｃ２の項目とに区分される。通報受信時刻８ｃ１の項目には、通報を受信した年月日と秒単位までの時刻との具体的なデータが含まれており、通信状態８ｃ２の項目には、誤操作・悪戯又は通常操作とみなすデータが含まれている。尚、通信状態８ｃ２の項目のデータは、管制センタ装置８が設置される管制センタ側の管理人（オペレータ）が管制センタ装置８の操作部を入力操作することにより登録可能なものである。
【００１７】
図３は、管制センタ装置８に備えられる悪戯多発時間帯分析部８ｄで分析される時間帯別な悪戯多発時間帯分析内容情報を例示した図である。図３を参照すれば、悪戯多発時間帯分析内容情報は、一日の時間区分を管理する時間帯８ｄ１の項目と、誤操作・悪戯呼び多発か否かを判定するための閾値８ｄ２の項目と、当月分の時間帯区分毎の誤操作・悪戯呼びの検出回数を管理する悪戯呼び検出回数８ｄ３の項目と、当月分の誤操作・悪戯呼び多発か否かの判定結果８ｄ４の項目と、先月分の時間帯区分毎の誤操作・悪戯呼びの検出回数を管理する悪戯呼び検出回数８ｄ５の項目と、先月分の誤操作・悪戯呼び多発か否かの判定結果８ｄ６の項目とに区分される。
【００１８】
時間帯８ｄ１の項目では、一日の２４時間を００：００〜０４：００を深夜、０４：００〜０８：００を早朝、０８：００〜１２：００を朝、１２：００〜１６：００を昼、１６：００〜２０：００を夕方、２０：００〜２４：００を夜として区分している。閾値８ｄ２の項目では具体的な数値の３を用いている。当月分の悪戯呼び検出回数８ｄ３や先月分の悪戯呼び検出回数８ｄ５の項目では、具体的な検出回数を数値０〜４で示している。当月分の判定結果８ｄ４や先月分の判定結果８ｄ６の項目では、通常又は悪戯多発を判別している。ここでの判別は、あくまでも月毎の利用回数の総数に対する誤操作・悪戯呼びの検出回数の頻度に応じて可変的になされるべきものであるが、目安として、月２回位までは通常とみなし、３回以上になれば悪戯多発とみなす場合を例示できる。
【００１９】
図４は、実施例１に係るエレベータ用非常通報システムにおける非常通知運用に係る動作処理を示したフローチャートである。非常通知運用に係る動作処理では、まず監視装置６の制御回路６ｂにおいて、Ｉ／Ｆ回路６ａ経由で利用者（乗客）が乗りかご１内で閉じ込められたり、或いは運転異常（エレベータの異変）を感じた場合に通報装置の操作盤における非常呼び釦３を押下操作しての通報があるか否かについて、非常呼び釦３の入力ありか否かの判定（ステップ１００）により行う。この判定の結果、非常呼び釦３の入力が無ければ、この非常呼び釦３の入力ありか否かの判定（ステップ１００）の前に戻って処理を繰り返すが、非常呼び釦３の入力があれば、管制センタ装置８の制御回路８ｂの通信制御によりＩ／Ｆ回路８ｂ及び電話回線７とＩ／Ｆ回路６ａとを経由して取得した悪戯多発時間帯分析部８ｄの時間帯８ｄ１における当月分の判定結果８ｄ４を参照して、現在時刻は悪戯呼び多発時間帯であるか否かの判定（ステップ１０１）を行う。この判定の結果、悪戯呼び多発時間帯であれば、感動時限記憶部６ｃに対して非常呼び釦３の感動時限を長めの例えば５秒にセット（ステップ１０２）するが、悪戯呼び多発時間帯でなければ、感動時限記憶部６ｃに対して非常呼び釦３の感動時限を短かめの例えば１．５秒にセット（ステップ１０３）する。
【００２０】
次に、監視装置６の制御回路６ｂは、実際に非常呼び釦３が押下操作され続けた時間を計測し、非常呼び釦３の入力時間が感動時限記憶部６ｃに記憶されている感動時限を超過したか否かの判定（ステップ１０４）を行う。この判定の結果、非常呼び釦３の入力時間が感動時限を超過していなければ、誤操作・悪戯呼びとみなして非常通報を実施せずに非常通報不許可とするため、最初の非常呼び釦３の入力ありか否かの判定（ステップ１００）の前に戻って処理を繰り返すようにするが、非常呼び釦３の入力時間が感動時限を超過していれば、非常通報許可として管制センタ装置８に電話回線７を介して非常通報を伝送して非常通報実施（ステップ１０５）する。これにより、管制センタ装置８の制御回路８ｂは、Ｉ／Ｆ回路８ａを経由して非常通報が伝送されると、管制センタのオペレータ（管理人）による通話対応（ステップ１０６）のための制御を行う。このとき、管制センタのオペレータは、利用者（乗客）との通話内容により、必要に応じて保守点検員を現地へ派遣する等の指示を行うことになる。但し、利用者（乗客）との通話内容が誤操作・悪戯呼びに該当する場合もあるため、エレベータの運用処理上では引き続いて、誤操作・悪戯呼びによる通話か否かの判定（ステップ１０７）を管制センタのオペレータが操作指示して制御回路８ｂにより登録制御させるようにする。この判定の結果、誤操作・悪戯呼びによる通話であれば（例えばオペレータが呼びかけても何も応答せず、無音状態が継続した場合等で判断できる）、管制センタ装置８にてオペレータが制御回路８ｂに操作指示して通報来歴記憶部８ｃの通話状態８ｃ２を『誤操作・悪戯』で登録（ステップ１０８）するようにしてから動作処理を終了するが、誤操作・悪戯呼びによる通話でなければ（例えばオペレータの呼びかけで返答があり、通報実施する明確な理由を利用者から聞き出せた場合等で判断できる）、管制センタ装置８にてオペレータが制御回路８ｂに操作指示して通報来歴記憶部８ｃの通話状態８ｃ２を『通常』で登録（ステップ１０９）するようにしてから動作処理を終了する。
【００２１】
図５は、実施例１に係るエレベータ用非常通報システムにおける誤操作又は悪戯呼びが多い時間帯の設定に係る動作処理を示したフローチャートである。この誤操作又は悪戯呼びが多い時間帯の設定に係る動作処理では、まず管制センタ装置８の制御回路８ｂが予め設定された誤操作又は悪戯呼びが多い時間帯の分析実施日時（例えば毎月の月末の日替わりタイミング等で判断できる）であるか否かの判定（ステップ２００）を行う。この判定の結果、誤操作又は悪戯呼びが多い時間帯の分析実施日時でなければ、この誤操作又は悪戯呼びが多い時間帯の分析実施日時であるか否かの判定（ステップ２００）の前に戻って処理を繰り返すが、誤操作又は悪戯呼びが多い時間帯の分析実施日時であれば、悪戯多発時間帯分析部８ｄによる誤操作又は悪戯呼びが多い時間帯の分析処理を実施し、当月分データを先月分データに移行（ステップ２０１）する処理を行う。具体的には、悪戯多発時間帯分析部８ｄにおける当月分の悪戯呼び検出回数８ｄ３、並びに判定結果８ｄ４に格納されたデータ（先月末に分析したデータ）を先月分の悪戯呼び検出回数８ｄ５、並びに判定結果８ｄ６のデータにそれぞれ移行する。
【００２２】
次に、管制センタ装置８の制御回路８ｂは、通報来歴記憶部８ｃのデータを悪戯多発時間帯分析部８ｄに反映（ステップ２０２）させる処理を行う。具体的には、通報来歴記憶部８ｃにおける通報受信時刻８ｃ１と通信状態８ｃ２とのデータを悪戯多発時間帯分析部８ｄにおけるデータに反映させるもので、反映手法として、例えば通報受信時刻８ｃ１が『２０１２／３／１２  １５：００：００』で、通信状態８ｃ２が『誤操作・悪戯』である場合に、時間帯８ｄ１の区分『１２：００〜１６：００（昼）』の当月分の悪戯呼び検出回数８ｄ３の値４をインクリメント（整数型の変数値を１増やす処理）する場合や、通報受信時刻８ｃ１が『２０１２／３／１７  ０８：３０：００』で、通信状態８ｃ２が『通常』である場合に、時間帯８ｄ１の区分『０８：００〜１２：００（朝）』の当月分の悪戯呼び検出回数８ｄ３の値０をインクリメントしない場合等を例示できる。
【００２３】
更に、管制センタ装置８の制御回路８ｂは、各時間帯毎の悪戯呼び検出回数が閾値超過であるか否かの判定（ステップ２０３）を行う。具体的には、悪戯多発時間帯分析部８ｄにおける各時間帯毎に当月分の悪戯呼び検出回数８ｄ３の値（０〜４）と閾値８ｄ２に登録されている値とを比較する。この判定の結果、悪戯呼び検出回数が閾値超過であれば、各時間帯毎の判定結果（当月分）８ｄ４に『悪戯多発』をセット（ステップ２０４）し、悪戯呼び検出回数が閾値超過でなければ、各時間帯毎の判定結果（当月分）８ｄ４に『通常』をセット（ステップ２０５）する。因みに、閾値８ｄ２の値については、現地の使用状況や顧客要望によって任意に変更可能なものである。
【００２４】
この後、管制センタ装置８の制御回路８ｂは、何れの場合にも各時間帯毎の判定結果の当月分と先月分に差分ありか否かの判定（ステップ２０６）を行う。具体的には、各時間帯毎に当月分の判定結果８ｄ４のデータと先月分の判定結果８ｄ６のデータとの内容に差分があるかをチェックする。この判定の結果、差分が無ければ、誤作動・悪戯呼び多発時間帯の変更が不要であるとみなし、そのまま動作処理を終了するが、差分があれば、誤作動・悪戯呼び多発時間帯の変更が必要とみなし、判定結果（当月分）と判定結果（先月分）のデータの論理和をとったデータをＩ／Ｆ回路８ａ経由で電話回線７を介して監視端末（監視装置６）に送信（ステップ２０７）してから動作処理を終了する。ここでの誤作動・悪戯呼び多発時間帯の変更について、図３を参照して具体例を挙げれば、１２：００〜１６：００（昼）の当月分の判定結果８ｄ４が『通常』から『悪戯多発』へと変更設定され、１６：００〜２０：００（夜）の当月分の判定結果８ｄ４が『悪戯多発』のまま変更されない場合を例示できる。
【００２５】
何れにせよ、実施例１に係るエレベータ用非常通報システムによれば、監視装置６及び管制センタ装置８間で管理する管理情報として、管制センタ装置８では、制御回路８ｂの操作内容判定手段により乗りかご１内の通報装置の操作盤における非常呼び釦３を押下操作しての通報時における通話状況に基づいてその押下操作が通常操作によるものか、誤操作又は悪戯呼びによるものかの操作内容を判定した結果の通報来歴情報を通報来歴記憶部８ｃに記憶して蓄積すると共に、悪戯多発時間帯分析部８ｄで通報来歴情報に基づいて誤操作や悪戯呼びの多い時間帯を自動的に分析した結果を監視装置６へ伝送し、監視装置６では制御回路６ｂの感動時限変更設定手段により誤操作や悪戯呼びの多い時間帯に応じて非常呼び釦３に対する所定時間の感動時限を変更して設定する。これにより、設定時間内で効率的に誤操作（例えば乗りかご１内で利用者が不意に壁面に寄り掛かったときに通報装置の操作盤における非常呼び釦３が押下されてしまう場合を例示できる）や悪戯呼び（例えば利用者が故意に非常呼び釦３を押下操作した後にドア２の開状態時に乗りかご１内から建物の階床へ立ち去ってしまう場合を例示できる）による無駄な通報を低減して簡易に運用できるようになり、管制センタ側の管理人（オペレータ）の負担を軽減させることができると共に、保守点検員の現地設定作業での労力や負担をなくすることができるようになる。
【符号の説明】
【００２６】
１  乗りかご
２  ドア
３  非常呼び釦
４  案内レール
５  制御盤
５ａ、６ａ、８ａ  Ｉ／Ｆ（インターフェース）回路
５ｂ、６ｂ、８ｂ  制御回路
６  監視装置
６ｃ  感動時限記憶部
６ｄ  悪戯多発時間帯記憶部
７  電話回線
８  管制センタ装置
８ｃ  通報来歴記憶部
８ｄ  悪戯多発時間帯分析部
【図１】
2014073893.tif 000003
【図２】
2014073893.tif 000004
【図３】
2014073893.tif 000005
【図４】
2014073893.tif 000006
【図５】
2014073893.tif 000007